【手続補正書】
【提出日】令和2年9月25日(2020.9.25)
【手続補正１】
【補正対象書類名】特許請求の範囲
【補正対象項目名】全文
【補正方法】変更
【補正の内容】
【特許請求の範囲】
【請求項１】
ＳＵ（Single User）−ＭＩＭＯ（Multiple Input Multiple Output）動作をサポートするイニシエータ装置であって、
ノンレシプロカルＭＩＭＯフェーズおよびレシプロカルＭＩＭＯフェーズのいずれがＳＵ−ＭＩＭＯ  ＢＦ（BeamForming）トレーニングに適用されるかを示すノンレシプロカル／レシプロカルＭＩＭＯフェーズフィールドを含むＭＩＭＯ  ＢＦセットアップフレームを生成する生成回路と、
前記ＭＩＭＯ  ＢＦセットアップフレームをレスポンダ装置に送信し、前記ノンレシプロカル／レシプロカルＭＩＭＯフェーズフィールドが、前記レシプロカルＭＩＭＯフェーズが適用されることを示す場合は、前記イニシエータ装置がＭＩＭＯ送信に用いる送信セクタをトレーニングするための、複数の第１のビームリファイメントプロトコール（ＢＲＰ）信号を前記レスポンダ装置に送信する、送信回路と、
前記レスポンダ装置から、前記複数の第１のＢＲＰ信号に対するフィードバック情報を含む第１のＭＩＭＯ  ＢＦフィードバックフレームを受信する受信回路と、
を備える、イニシエータ装置。
【請求項２】
前記イニシエータ装置および前記レスポンダ装置の両方がアンテナパターンレシプロシティを有する場合、前記ＭＩＭＯ  ＢＦセットアップフレームに含まれる前記ノンレシプロカル／レシプロカルＭＩＭＯフェーズフィールドには、前記レシプロカルＭＩＭＯフェーズが前記ＳＵ−ＭＩＭＯ  ＢＦトレーニングに適用されることを示す第１の値が設定される、
請求項１に記載のイニシエータ装置。
【請求項３】
前記複数の第１のＢＲＰ信号に対するフィードバック情報に基づいて、前記イニシエータ装置がＭＩＭＯ送信に用いる送信セクタの組合せおよび受信セクタの組合せを決定する制御回路をさらに備える、
請求項１に記載のイニシエータ装置。
【請求項４】
前記ＳＵ−ＭＩＭＯ  ＢＦトレーニングの後に行われるハイブリッドＢＦ動作のデジタルＢＦ手順において、
前記受信回路は、前記レスポンダ装置がＭＩＭＯ送信に用いる送信セクタの組合せをトレーニングするための複数の第２のＢＲＰ信号を前記レスポンダ装置から受信し、
前記送信回路は、前記複数の第２のＢＲＰ信号に対するフィードバック情報を含む第２のＭＩＭＯ  ＢＦフィードバックフレームを前記レスポンダ装置に送信する、
請求項３に記載のイニシエータ装置。
【請求項５】
前記受信回路は、前記第１のＭＩＭＯ  ＢＦフィードバックフレームに付加された、前記レスポンダ装置がＭＩＭＯ送信に用いる送信セクタの組合せをトレーニングするためのＴＲＮ（Training）信号を前記レスポンダ装置から受信し、
前記送信回路は、前記ＴＲＮ信号に対するフィードバック情報を含む第３のＭＩＭＯ  ＢＦフィードバックフレームを前記レスポンダ装置に送信する、
請求項３に記載のイニシエータ装置。
【請求項６】
前記ノンレシプロカル／レシプロカルＭＩＭＯフェーズフィールドが、前記レシプロカルＭＩＭＯフェーズが前記ＳＵ−ＭＩＭＯ  ＢＦトレーニングに適用されることを示す場合、
前記受信回路は、前記レスポンダ装置がＭＩＭＯ送信に用いる送信セクタの組合せをトレーニングするための複数の第３のＢＲＰ信号を前記レスポンダ装置から受信し、
前記送信回路は、前記複数の第３のＢＲＰ信号に対するフィードバック情報を含む第３のＭＩＭＯ  ＢＦフィードバックフレームを前記レスポンダ装置に送信し、
前記イニシエータ装置は、前記複数の第３のＢＲＰ信号に基づいて、前記イニシエータ装置がＭＩＭＯ送信に用いる送信セクタの組合せおよび受信セクタの組合せを決定する制御回路をさらに備える、
請求項１に記載のイニシエータ装置。
【請求項７】
前記ＳＵ−ＭＩＭＯ  ＢＦトレーニングの後に行われるハイブリッドＢＦ動作のデジタルＢＦ手順において、
前記受信回路は、前記レスポンダ装置がレスポンダリンクのためのチャネルをサウンディングする複数の第４のＢＲＰ信号を前記レスポンダ装置から受信し、
前記送信回路は、前記複数の第４のＢＲＰ信号に対するフィードバック情報を含む第４のＭＩＭＯ  ＢＦフィードバックフレームを前記レスポンダ装置に送信する、
請求項６に記載のイニシエータ装置。
【請求項８】
ＳＵ（Single User）−ＭＩＭＯ（Multiple Input Multiple Output）動作をサポートするイニシエータ装置のための通信方法であって、
ノンレシプロカルＭＩＭＯフェーズおよびレシプロカルＭＩＭＯフェーズのいずれがＳＵ−ＭＩＭＯ  ＢＦ（BeamForming）トレーニングに適用されるかを示すノンレシプロカル／レシプロカルＭＩＭＯフェーズフィールドを含むＭＩＭＯ  ＢＦセットアップフレームを生成し、
前記ＭＩＭＯ  ＢＦセットアップフレームをレスポンダ装置に送信し、前記ノンレシプロカル／レシプロカルＭＩＭＯフェーズフィールドが、前記レシプロカルＭＩＭＯフェーズが適用されることを示す場合は、前記イニシエータ装置がＭＩＭＯ送信に用いる送信セクタをトレーニングするための、複数の第１のビームリファイメントプロトコール（ＢＲＰ）信号を前記レスポンダ装置に送信し、
前記レスポンダ装置から、前記複数の第１のＢＲＰ信号に対するフィードバック情報を含む第１のＭＩＭＯ  ＢＦフィードバックフレームを受信する、
通信方法。
【請求項９】
前記イニシエータ装置および前記レスポンダ装置の両方がアンテナパターンレシプロシティを有する場合、前記ＭＩＭＯ  ＢＦセットアップフレームに含まれる前記ノンレシプロカル／レシプロカルＭＩＭＯフェーズフィールドには、前記レシプロカルＭＩＭＯフェーズが前記ＳＵ−ＭＩＭＯ  ＢＦトレーニングに適用されることを示す第１の値が設定される、
請求項８に記載の通信方法。
【請求項１０】
前記複数の第１のＢＲＰ信号に対するフィードバック情報に基づいて、前記イニシエータ装置がＭＩＭＯ送信に用いる送信セクタの組合せおよび受信セクタの組合せを決定する、
請求項８に記載の通信方法。
【請求項１１】
前記ＳＵ−ＭＩＭＯ  ＢＦトレーニングの後に行われるハイブリッドＢＦ動作のデジタルＢＦ手順において、
前記レスポンダ装置がＭＩＭＯ送信に用いる送信セクタの組合せをトレーニングするための複数の第２のＢＲＰ信号を前記レスポンダ装置から受信し、
前記複数の第２のＢＲＰ信号に対するフィードバック情報を含む第２のＭＩＭＯ  ＢＦフィードバックフレームを前記レスポンダ装置に送信する、
請求項１０に記載の通信方法。
【請求項１２】
前記第１のＭＩＭＯ  ＢＦフィードバックフレームに付加された、前記レスポンダ装置がＭＩＭＯ送信に用いる送信セクタの組合せをトレーニングするためのＴＲＮ（Training）信号を前記レスポンダ装置から受信し、
前記ＴＲＮ信号に対するフィードバック情報を含む第３のＭＩＭＯ  ＢＦフィードバックフレームを前記レスポンダ装置に送信する、
請求項１０に記載の通信方法。
【請求項１３】
前記ノンレシプロカル／レシプロカルＭＩＭＯフェーズフィールドが、前記レシプロカルＭＩＭＯフェーズが前記ＳＵ−ＭＩＭＯ  ＢＦトレーニングに適用されることを示す場合、
前記レスポンダ装置がＭＩＭＯ送信に用いる送信セクタの組合せをトレーニングするための複数の第３のＢＲＰ信号を前記レスポンダ装置から受信し、
前記複数の第３のＢＲＰ信号に対するフィードバック情報を含む第３のＭＩＭＯ  ＢＦフィードバックフレームを前記レスポンダ装置に送信し、
前記複数の第３のＢＲＰ信号に基づいて、前記イニシエータ装置がＭＩＭＯ送信に用いる送信セクタの組合せおよび受信セクタの組合せを決定する、
請求項８に記載の通信方法。
【請求項１４】
前記ＳＵ−ＭＩＭＯ  ＢＦトレーニングの後に行われるハイブリッドＢＦ動作のデジタルＢＦ手順において、
前記レスポンダ装置がレスポンダリンクのためのチャネルをサウンディングする複数の第４のＢＲＰ信号を前記レスポンダ装置から受信し、
前記複数の第４のＢＲＰ信号に対するフィードバック情報を含む第４のＭＩＭＯ  ＢＦフィードバックフレームを前記レスポンダ装置に送信する、
請求項１３に記載の通信方法。
【請求項１５】
ＳＵ（Single User）−ＭＩＭＯ（Multiple Input Multiple Output）動作をサポートするイニシエータ装置のための集積回路であって、
ノンレシプロカルＭＩＭＯフェーズおよびレシプロカルＭＩＭＯフェーズのいずれがＳＵ−ＭＩＭＯ  ＢＦ（BeamForming）トレーニングに適用されるかを示すノンレシプロカル／レシプロカルＭＩＭＯフェーズフィールドを含むＭＩＭＯ  ＢＦセットアップフレームを生成する処理と、
前記ＭＩＭＯ  ＢＦセットアップフレームをレスポンダ装置に送信し、前記ノンレシプロカル／レシプロカルＭＩＭＯフェーズフィールドが、前記レシプロカルＭＩＭＯフェーズが適用されることを示す場合は、前記イニシエータ装置がＭＩＭＯ送信に用いる送信セクタをトレーニングするための、複数の第１のビームリファイメントプロトコール（ＢＲＰ）信号を前記レスポンダ装置に送信する処理と、
前記レスポンダ装置から、前記複数の第１のＢＲＰ信号に対するフィードバック情報を含む第１のＭＩＭＯ  ＢＦフィードバックフレームを受信する処理と、
を制御する、集積回路。
【手続補正２】
【補正対象書類名】明細書
【補正対象項目名】発明の名称
【補正方法】変更
【補正の内容】
【発明の名称】イニシエータ装置、通信方法、および集積回路